【事件の表示】
　特許第３１４９９３６号「画像の読み取り用ユニット」の請求項１に係る特許に対する特許異議の申立てについて、次のとおり決定する。
【結　論】
　訂正を認める。
　特許第３１４９９３６号の請求項１に係る特許を取り消す。
【理　由】
（１）手続の経緯
　特許第３１４９９３６号の請求項１に係る発明は、平成６年１０月１２日に特許出願され、平成１３年１月１９日にその特許の設定登録がなされ、その後異議申立人山口十四治により特許異議の申立がなされ、取消理由通知がなされ、その指定期間内である平成１４年２月５日に訂正請求がなされたものである。
　
（２）訂正の適否についての判断
　（ア）訂正の内容
訂正事項ａ
　特許請求の範囲の請求項１を、次のように訂正する。
「【請求項１】　レンズと、該レンズを通過した画像光が入射するイメージセンサと、前記レンズ及び前記イメージセンサを収納するユニットケーシングとからなるレンズユニットを有し、光源及び光伝送用のミラーを収容する本体のケーシングに対して前記レンズユニットが光学系の光軸に沿って一体として前後可動に取り付けられる画像の読み取り用ユニットにおいて、
　前記ユニットケーシングは、前記レンズ及び前記イメージセンサを保持するレンズブラケットと、前記レンズの光軸方向に沿って前記レンズを覆うレンズカバーとから成り、
　前記レンズ及び前記イメージセンサは前記レンズブラケットに固定され、
　前記レンズカバーはプラスチックで形成されるとともに、該レンズカバーには、前記レンズの中心部に入射する光量、若しくは前記中心部から出射する光量を減少させて前記イメージセンサの結像面に出射される光量を略均一にする形状に形成されたレンズブロッカーが一体成形されており、
　前記レンズブロッカー、前記レンズ及び前記イメージセンサのそれぞれの距離関係を一定に保ったまま、前記レンズユニットが移動する構造を備えていることを特徴とする画像の読み取り用ユニット。」
　
訂正事項ｂ
　明細書の段落【０００９】を、次のように訂正する。
「【課題を解決するための手段】
　本発明は前記目的を達成するために、レンズと、該レンズを通過した画像光が入射するイメージセンサと、前記レンズ及び前記イメージセンサを収納するユニットケーシングとからなるレンズユニットを有し、光源及び光伝送用のミラーを収容する本体のケーシングに対して前記レンズユニットが光学系の光軸に沿って一体として前後可動に取り付けられる画像の読み取り用ユニットにおいて、前記ユニットケーシングは、前記レンズ及び前記イメージセンサを保持するレンズブラケットと、前記レンズの光軸方向に沿って前記レンズを覆うレンズカバーとから成り、前記レンズ及び前記イメージセンサは前記レンズブラケットに固定され、前記レンズカバーはプラスチックで形成されるとともに、該レンズカバーには、前記レンズの中心部に入射する光量、若しくは前記中心部から出射する光量を減少させて前記イメージセンサの結像面に出射される光量を略均一にする形状に形成されたレンズブロッカーが一体成形されており、前記レンズブロッカー、前記レンズ及び前記イメージセンサのそれぞれの距離関係を一定に保ったまま、前記レンズユニットが移動する構造を備えていることを特徴としている。」
　
　（イ）訂正の目的の適否、新規事項の有無及び拡張・変更の存否
　訂正事項ａに係る訂正は、特許請求の範囲の減縮、及び、明瞭でない記載の釈明に該当し、実質的に特許請求の範囲を拡張又は変更するものではないし、新規事項の追加にも該当しない。
　
　訂正事項ｂに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は特許法等の一部を改正する法律（平成６年法律第１１６号）（以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　申立人山口十四治は、証拠として甲第１号証（実公平６−１４５５３号公報）、甲第２号証（特公平６−６６８５２号公報）、甲第３号証（特開平６−８２９３０号公報）を提出し、本件請求項１に係る発明の特許は、甲第１及び３号証記載の発明、あるいは甲第１〜３号証記載の発明に基づいて当業者が容易に発明することができたものであるので、特許法第２９条第２項の規定に違反してなされたものである。したがって、本件請求項１に係る発明の特許を取り消すべき旨主張している。
　
　（イ）本件請求項１に係る発明
　本件請求項１に係る発明は、上記訂正に係る訂正明細書の特許請求の範囲の請求項１に記載された事項により特定される次のとおりのものである。
「【請求項１】　レンズと、該レンズを通過した画像光が入射するイメージセンサと、前記レンズ及び前記イメージセンサを収納するユニットケーシングとからなるレンズユニットを有し、光源及び光伝送用のミラーを収容する本体のケーシングに対して前記レンズユニットが光学系の光軸に沿って一体として前後可動に取り付けられる画像の読み取り用ユニットにおいて、
　前記ユニットケーシングは、前記レンズ及び前記イメージセンサを保持するレンズブラケットと、前記レンズの光軸方向に沿って前記レンズを覆うレンズカバーとから成り、
　前記レンズ及び前記イメージセンサは前記レンズブラケットに固定され、
　前記レンズカバーはプラスチックで形成されるとともに、該レンズカバーには、前記レンズの中心部に入射する光量、若しくは前記中心部から出射する光量を減少させて前記イメージセンサの結像面に出射される光量を略均一にする形状に形成されたレンズブロッカーが一体成形されており、
　前記レンズブロッカー、前記レンズ及び前記イメージセンサのそれぞれの距離関係を一定に保ったまま、前記レンズユニットが移動する構造を備えていることを特徴とする画像の読み取り用ユニット。」
　
　（ウ）引用刊行物
　本件請求項１に係る発明に対して、当審が平成１３年１１月２７日付で通知した取消理由で引用した刊行物１〔甲第１号証（実公平６−１４５５３号公報）〕には、次のような記載がある。
（あ）「従来の単色のコピーを作る電子ボードの一般的な構成の一例を第１０図により説明する。機枠１００内の両側に設けられた駆動ローラ１０１と従動ローラ１０２に巻き掛けられた無端ベルト状ないしは無端フィルム状のスクリーン１０３は、機枠の表側の面に設けられた窓１０４に露出した部分が画像書込み部となり、書込まれたスクリーン部分は、定速度で回転する駆動モータ１０５により駆動される駆動ローラ１０１によって裏側内部に走行駆動される。機枠１００の裏側は後ボード１００ａにより遮光されて暗室となっており、その内部には、走行してくるスクリーンを照明する光源１０６、この光源により照明されたスクリーンの反射光を反射するミラー１０７、ミラーによる反射光が通るレンズ１０８、及びＣＣＤ１０９から成る読取素子が設けられている。書込みの完了したスクリーン１０３を走行させる過程で、該スクリーンを光源１０６により照明し、その反射光をミラー１０７、レンズ１０８を介してＣＣＤ１０９に導き、スクリーン上の画像をＣＣＤ１０９に結像させ、ＣＣＤ１０９による主走査と、スクリーン１０３の定速移動による副走査を行って画像を読取り、画像信号を出力し」（第２頁左欄第７〜２７行）
　
（い）「第１図に示した電子ボードは、先の説明から明らかなように、画像の書込まれたスクリーン１０３より成る画像担持体を走行させ、その過程でスクリーン１０３上の同一の読取ラインＬにおける所定の色の画像をＣＣＤ１３，１４より成る２つの読取素子にそれぞれ結像させ、各色画像情報信号を出力し、複数色で記録を行うように構成されている。第２図及び第３図に示すように、読取ラインＬ（第１図）の画像を各ＣＣＤ１３，１４に結像させる複数の、図の例では２つのレンズ８，９は、それぞれの筒状のホルダーに保持され、これらのホルダーはレンズブロック２，３にそれぞれ支持されている。そしてこれらのレンズブロック２，３は共通の受台１に支持され、これを介して電子ボード本体機枠に取付けられている。」（第３頁左欄第７〜２０行）
　
（う）「各ＣＣＤ１３，１４はそれぞれレンズブロック２，３に支持されている。」（第３頁右欄第９〜１１行）
　
（え）「各レンズ８，９とそのホルダーをレンズブロック２，３にそれぞれ固定する。」（第４頁左欄第４８〜４９行）
　
（お）「倍率調整は、各レンズブロック２，３を受台１に固定するねじ２ａ，３ａをそれぞれ緩め、各レンズブロック２，３を第２図に矢印Ｄで示す方向、即ち光軸方向に移動させ、共役長を変えて行う。この場合、レンズ８，９による倍率が同一になる如く調整する必要がある。このようにレンズブロック２，３が、共通の受台１に、各レンズブロック２，３に支持されたレンズ８，９の光軸方向Ｃにそれぞれ調整動可能に支持され、これによって倍率調整が行われる。」（第４頁右欄第４〜１２行）
　
（か）「第２図に示す如く、各レンズブロック２，３の前部に各ＣＣＤに入射する光量を規制するシェーディング板１７，１８を固定して設けることによって、これを単独で電子ボード本体に取付けた場合にレンズブロックの交換時にレンズ性能や組付誤差により必要となるシェーディング板の位置調整が不要となり、サービスマンの対応が可能になる。」（第４頁右欄第４９行〜第５頁左欄第５行）
　
　前記（あ）〜（か）の記載事項と図面の記載からみて、刊行物１には、レンズと、該レンズを通過した画像光が入射するＣＣＤと、前記レンズ及び前記ＣＣＤを収納するレンズブロックを有し、光源及び光伝送用のミラーを収容する本体のケーシングに対して前記レンズブロックが光学系の光軸に沿って一体として前後可動に取り付けられる画像の読み取り用ユニットにおいて、前記レンズ及び前記ＣＣＤは前記レンズブロックに保持、固定され、前記ＣＣＤに入射する光量を規制するシェーディング板を前記レンズブロックに有し、前記シェーディング板、前記レンズ及び前記ＣＣＤのそれぞれの距離関係を一定に保ったまま、前記レンズブロックが移動する構造を備えていることを特徴とする画像の読み取り用ユニット、が記載されている。
　
　同刊行物３〔甲第３号証（特開平６−８２９３０号公報）〕には、次のような記載がある。
（き）「レンズブロッカー４４は図６に示すように、結像レンズ３０の中心部を一部分覆うように凸円弧状に形成されており、結像レンズ３０の中心部に入射する光量を減少させて感光ドラム４０の結像面に出射される光量を略均一にすることができる。」（第２頁左欄第３９〜４４行）
　
（く）「結像レンズ３０はレンズ鏡胴８６に保持されると共に、遮光部材で形成されたレンズカバー８８にレンズ台９０を介して取り付けられている。また、結像レンズ３０は、レンズカバー８８によって有害光の入射が防止されている。また、その結像レンズ３０の入射光側には、レンズブロッカー９２が配置されている。このレンズブロッカー９２は図２に示すように、レンズカバー８８のレンズ取付部本体９４と一体に形成されて直角に折り曲げられている。このレンズブロッカー９２は、図６に示した従来のレンズブロッカー４４と同様に、結像レンズ３０の中心部を一部分覆うように凸円弧状に形成されており、結像レンズ３０の周辺部に入射する光量を減少させないで、結像レンズ３０の中心部に入射する光量を減少させて、感光ドラム４０の結像面に出射される光量を略均一にしている。
【００１４】このように構成された画像の読み取り用ユニット８０によれば、レンズブロッカー９２をレンズ取付部本体９４と一体に形成したので、レンズ取付部本体４５にねじ固定する従来のレンズブロッカー４４と比較して、レンズブロッカー９２を手間をかけずに容易に設けることができる。尚、レンズブロッカー９２は、レンズカバー８８と一体に形成しても良い。」（第３頁左欄第９〜３０行）
　
（け）「レンズブロッカー９２、１０４を結像レンズ３０、６０の入射光側に形成するようにしたが、これに限られるものではなく、結像レンズ３０、６０の出射光側に形成しても良い。」（第３頁右欄第１５〜１８行）
　
　前記（き）〜（け）の記載事項と第１，２及び６図の記載からみて、刊行物３には、
・レンズブロッカーが、レンズの中心部に入射する光量、若しくは前記中心部から出射する光量を減少させて結像面に出射される光量を略均一にする形状に形成されていること、
・「レンズ取付部本体（９４）」と「レンズカバー（８８）」とでレンズユニットのユニットケーシングを形成するものであって、ユニットケーシングは、「レンズ取付部本体（９４）」と、レンズの光軸方向に沿ってレンズを覆う「レンズカバー（８８）」から成っていること、及び、
・レンズカバーにレンズブロッカーを一体に形成すること、が記載されている。
　
　（エ）対比・判断
　刊行物１記載の発明の「ＣＣＤ」、「レンズブロック」、及び「シェーディング板」は、請求項１に係る発明の「イメージセンサ」、「レンズユニット、あるいはレンズブラケット」、及び「レンズブロッカー」にそれぞれ相当するものであるので、刊行物１には、レンズと、該レンズを通過した画像光が入射するイメージセンサと、前記レンズ及び前記イメージセンサを収納するレンズユニットを有し、光源及び光伝送用のミラーを収容する本体のケーシングに対して前記レンズユニットが光学系の光軸に沿って一体として前後可動に取り付けられる画像の読み取り用ユニットにおいて、前記レンズ及び前記イメージセンサはレンズブラケットに保持、固定され、前記イメージセンサーに入射する光量を規制するレンズブロッカーを前記レンズユニットに有し、前記レンズブロッカー、前記レンズ及び前記イメージセンサのそれぞれの距離関係を一定に保ったまま、前記レンズユニットが移動する構造を備えていることを特徴とする画像の読み取り用ユニット、が記載されている。
　本件請求項１に係る発明と上記刊行物１（甲第１号証）記載の発明とを対比すると、両者は、レンズと、該レンズを通過した画像光が入射するイメージセンサと、前記レンズ及び前記イメージセンサを収納するレンズユニットを有し、光源及び光伝送用のミラーを収容する本体のケーシングに対して前記レンズユニットが光学系の光軸に沿って一体として前後可動に取り付けられる画像の読み取り用ユニットにおいて、前記レンズ及び前記イメージセンサはレンズブラケットに保持、固定され、前記イメージセンサーに入射する光量を規制するレンズブロッカーを前記レンズユニットに有し、前記レンズブロッカー、前記レンズ及び前記イメージセンサのそれぞれの距離関係を一定に保ったまま、前記レンズユニットが移動する構造を備えていることを特徴とする画像の読み取り用ユニット、という点で一致し、次の点で相違する。
　
相違点（Ａ）
　本件請求項１に係る発明は、レンズブロッカーが、レンズの中心部に入射する光量、若しくは前記中心部から出射する光量を減少させてイメージセンサの結像面に出射される光量を略均一にする形状に形成されているのに対して、刊行物１記載の発明には、レンズブロッカーが、イメージセンサーに入射する光量を規制するという記載が有るのみで、レンズブロッカーが、レンズの中心部に入射する光量、若しくは前記中心部から出射する光量を減少させてイメージセンサの結像面に出射される光量を略均一にする形状に形成されていることの明示が無い点。
　
相違点（Ｂ）
　本件請求項１に係る発明は、レンズユニットをユニットケーシングとし、かつ、ユニットケーシングは、レンズ及びイメージセンサを保持するレンズブラケットと、レンズの光軸方向に沿ってレンズを覆うレンズカバーから成るのに対して、刊行物１記載の発明には、レンズ及びイメージセンサを収納するレンズユニット（レンズ及びイメージセンサを保持するレンズブラケット）の記載は有るが、レンズユニットをユニットケーシングとすること、及び、ユニットケーシングは、レンズブラケットと、レンズの光軸方向に沿ってレンズを覆うレンズカバーから成ることの記載が無い点。
　
相違点（Ｃ）
　本件請求項１に係る発明は、レンズカバーはプラスチックで形成されるとともに、レンズカバーにはレンズブロッカーが一体成形されているのに対して、刊行物１記載の発明は、レンズブロッカーを有するが、レンズカバーはプラスチックで形成されるとともに、レンズカバーにはレンズブロッカーが一体成形されていることの記載が無い点。
　
　（本件請求項１に係る発明に対する判断）
相違点（Ａ）について：
　刊行物３記載の発明には、レンズブロッカーが、レンズの中心部に入射する光量、若しくは前記中心部から出射する光量を減少させて結像面に出射される光量を略均一にする形状に形成されていること、が記載されており、刊行物１記載のイメージセンサに対するレンズブロッカーを、刊行物３記載の上記構成を採用して、相違点（Ａ）の本件請求項１に係る発明のような構成にすることに、格別の困難性は認められない。
　
相違点（Ｂ）について：
　刊行物３記載の発明には、「レンズ取付部本体（９４）」と「レンズカバー（８８）」とでレンズユニットのユニットケーシングを形成するものであって、ユニットケーシングは、レンズブラケット〔刊行物３記載の発明における「レンズ取付部本体（９４）」〕と、レンズの光軸方向に沿ってレンズを覆うレンズカバー〔刊行物３記載の発明における「レンズカバー（８８）」〕から成っていることが記載されており、刊行物１記載のレンズユニットを、刊行物３記載の上記構成を採用して、相違点（Ｂ）の本件請求項１に係る発明のような構成にすることに、格別の困難性は認められない。
　
相違点（Ｃ）について：
　刊行物３記載の発明には、レンズカバーにレンズブロッカーを一体に形成することが記載されており、かつ、プラスチックで装置の部材を一体成形することは極く普通に採用されている周知技術であるので、相違点（Ｃ）の本件請求項１に係る発明のように、レンズカバーはプラスチックで形成されるとともに、レンズカバーにはレンズブロッカーが一体成形されるようにしたことに、格別の困難性は認められない。
　
　そして、本件請求項１に係る発明の効果は、刊行物１及び３の記載と周知技術から予測される範囲のものである。
　
　（オ）むすび
　以上のとおり、本件請求項１に係る発明は、上記刊行物１及び３記載の発明と周知技術に基づいて、当業者が容易に発明をすることができたものであるから、本件請求項１に係る発明の特許は、特許法第２９条第２項の規定により特許を受けることができない。
　したがって、本件請求項１に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月１５日（２００２．３．１５）
【訂正の要旨】
　（訂正の要旨）
訂正事項ａ
　特許請求の範囲の請求項１を、次のように訂正する。
「【請求項１】　レンズと、該レンズを通過した画像光が入射するイメージセンサと、前記レンズ及び前記イメージセンサを収納するユニットケーシングとからなるレンズユニットを有し、光源及び光伝送用のミラーを収容する本体のケーシングに対して前記レンズユニットが光学系の光軸に沿って一体として前後可動に取り付けられる画像の読み取り用ユニットにおいて、
　前記ユニットケーシングは、前記レンズ及び前記イメージセンサを保持するレンズブラケットと、前記レンズの光軸方向に沿って前記レンズを覆うレンズカバーとから成り、
　前記レンズ及び前記イメージセンサは前記レンズブラケットに固定され、
　前記レンズカバーはプラスチックで形成されるとともに、該レンズカバーには、前記レンズの中心部に入射する光量、若しくは前記中心部から出射する光量を減少させて前記イメージセンサの結像面に出射される光量を略均一にする形状に形成されたレンズブロッカーが一体成形されており、
　前記レンズブロッカー、前記レンズ及び前記イメージセンサのそれぞれの距離関係を一定に保ったまま、前記レンズユニットが移動する構造を備えていることを特徴とする画像の読み取り用ユニット。」
訂正事項ｂ
　明細書の段落【０００９】を、次のように訂正する。
「【課題を解決するための手段】
　本発明は前記目的を達成するために、レンズと、該レンズを通過した画像光が入射するイメージセンサと、前記レンズ及び前記イメージセンサを収納するユニットケーシングとからなるレンズユニットを有し、光源及び光伝送用のミラーを収容する本体のケーシングに対して前記レンズユニットが光学系の光軸に沿って一体として前後可動に取り付けられる画像の読み取り用ユニットにおいて、前記ユニットケーシングは、前記レンズ及び前記イメージセンサを保持するレンズブラケットと、前記レンズの光軸方向に沿って前記レンズを覆うレンズカバーとから成り、前記レンズ及び前記イメージセンサは前記レンズブラケットに固定され、前記レンズカバーはプラスチックで形成されるとともに、該レンズカバーには、前記レンズの中心部に入射する光量、若しくは前記中心部から出射する光量を減少させて前記イメージセンサの結像面に出射される光量を略均一にする形状に形成されたレンズブロッカーが一体成形されており、前記レンズブロッカー、前記レンズ及び前記イメージセンサのそれぞれの距離関係を一定に保ったまま、前記レンズユニットが移動する構造を備えていることを特徴としている。」
（５４）【発明の名称】
画像の読み取り用ユニット
（５７）【特許請求の範囲】
　【請求項１】　レンズと、該レンズを通過した画像光が入射するイメージセンサと、前記レンズ及び前記イメージセンサを収納するユニットケーシングとからなるレンズユニットを有し、
光源及び光伝送用のミラーを収容する本体のケーシングに対して
　
前記ユニットケーシングは、前記レンズ及び前記イメージセンサを保持するレンズブラケットと、前記レンズの光軸方向に沿って前記レンズを覆うレンズカバーとから成り、
　前記レンズ及び前記イメージセンサは前記
レンズブラケット
　前記
レンズカバーはプラスチックで形成されるとともに、該レンズカバーには
て前
　前記レンズブロッカー、前記レンズ及び前記イメージセンサのそれぞれの距離関係を一定に保ったまま、前記レンズユニットが移動する構造を備えていることを特徴とする画像の読み取り用ユニット。
【発明の詳細な説明】
　【０００１】
　【産業上の利用分野】
　本発明は複写機等の画像の読み取り用ユニットに係り、特に、レンズの入射光側若しくは出射光側に、レンズブロッカーを備えた画像の読み取り用ユニットの構成に関する。
　【０００２】
　【従来の技術】
　従来、複写機等の画像の読み取り用ユニットは、レンズとＣＣＤラインセンサとをレンズブラケットに組付け、レンズカバーで蓋をした構成からなるレンズユニットを有しており、このレンズユニットはケーシングの内部において光学系の光軸に沿って、前後に可動に取り付けられている。例えば、固定倍率の複写機は、レンズとＣＣＤラインセンサの距離は固定であり、出荷時の仕様に見合う所定倍率が得られるように、該レンズユニット全体を一体として光軸に沿って前後に動かして、光学系の配置を調整し、その後レンズユニットをケーシングに固定している。
　【０００３】
　また、上記従来の画像の読み取り用ユニットには、レンズ中心部分に入射する光量を減少させて、結像面に配したＣＣＤラインセンサに入射する光量を略均一に調整するためのレンズブロッカーを備えている。このレンズブロッカーは、断面がＬ字状に形成されており、レンズユニットとは別体の遮光カバーにネジで固定されている。
　【０００４】
　また、特開平６―８２９３０号公報には、レンズの中心部分に入射する光量若しくは、中心部から出射する光量を減少させて、結像面に出射される光量を略均一にする形状に形成されたレンズブロッカーをカバー若しくはレンズ取り付け部と一体に形成した画像の読み取り装置が開示されている。
　【０００５】
　【発明が解決しようとする課題】
　ところで、上記従来の画像の読み取り用ユニットは、レンズブロッカーが固着されている遮光カバーとレンズユニットとは別体であり、しかも互いに接触していないので、複写倍率の調整の際にレンズユニットを動かしても、前記遮光カバーに取り付けられたレンズブロッカーは動かない。従って、倍率調整の際レンズユニットを光軸に沿って前後に移動させると、レンズとレンズブロッカーの間の距離が変化し、結像面の光量バランスに影響を与えてしまうという問題がある。
　【０００６】
　また、上記特開平６―８２９３０号公報に開示されている画像の読み取り用ユニットは、カバー若しくはレンズ取り付け部本体と一体に形成されたレンズブロッカーの位置はカバーと共に固定であり、他方レンズは倍率調整用に光軸に沿って前後に移動が可能であるため、レンズの移動によってレンズとレンズブロッカーとの距離が変化するという問題がある。レンズとレンズブロッカーの距離が変化すると、レンズに入射する光束の光量分布が変化するので、当初、結像面に出射される光量を略均一にするように、レンズブロッカーを配置したとしても、レンズを移動させることにより、結像面の光量バランスが崩れてしまうという問題がある。
　【０００７】
　本来、レンズブロッカーは形成される形状と、レンズに対して配置される両者の距離関係との両条件が整った時に、所定の効果をもたらすものであり、レンズとレンズブロッカー間の距離が変化することは、結像面に出射される光量のバランスが崩れることを意味し、ＣＣＤラインセンサで結像を受光する際に不都合が生じるという問題がある。
　【０００８】
　本発明は、このような事情に鑑みてなされたもので、倍率調整の際にレンズユニットを動かしても、レンズとレンズブロッカー間の距離が変わらず、レンズの結像面での光量バランスが略均一に保たれる画像の読み取り用ユニットを提供することを目的とする。
　【０００９】
　【課題を解決するための手段】
　本発明は前記目的を達成するために、レンズと、該レンズを通過した画像光が入射するイメージセンサと、前記レンズ及び前記イメージセンサを収納するユニットケーシングとからなるレンズユニットを有し、
光源及び光伝送用のミラーを収容する本体のケーシングに対して
前記ユニットケーシングは、前記レンズ及び前記イメージセンサを保持するレンズブラケットと、前記レンズの光軸方向に沿って前記レンズを覆うレンズカバーとから成り、
レンズブラケット
レンズカバーはプラスチックで形成されるとともに、該レンズカバーには
て前
　【００１０】
　【作用】
　本発明によれば、レンズブロッカーはレンズユニットの構成品の一つであるユニットケーシングに直接設けて一体とし、レンズとイメージセンサとレンズブロッカーのそれぞれの距離を所定距離に固定してレンズブラケットに保持することにより、倍率調整の際に、レンズユニットを動かしても、レンズとレンズブロッカーとの間の距離は変化しない。
　【００１１】
　【実施例】
　以下添付図面に従って本発明に係る画像の読み取りユニットの好ましい実施例について詳説する。図１は本発明に係る画像の読み取りユニットの構成を示す断面図であり、図２は図１の平面図である。
　図１に示す画像の読み取り用ユニットは、箱型のケーシング１０の内部に光源部２０とレンズユニット３０と光伝送光学系４０を収めた構成からなり、図１において、ケーシング１０の右側は遮光カバー１０２で仕切られ、上方には光源部２０、下方には光伝送光学系４０が配置される。他方、ケーシング１０の左側にはレンズユニット３０が配置され、その上面はレンズカバー３０８が設けられている。
　【００１２】
　前記遮光カバー１０２にはハロゲンランプ２０６と平行に長い長方形のスリット１０４が形成されており、本体内部の光学系に余計な光が進入するのを防いでいる。
　光源部２０は、前記遮光カバー１０２上に設けられたランプブラケット２０４と、これに保持されたハロゲンランプ２０６、２０６と、これらの上部を覆うプラテンガラス２０８とから構成されている。なお、図２に示すように、ハロゲンランプ２０６は長尺状をしており、同形のものが所定の距離を隔て、２本平行に設けられている。
　【００１３】
　図１で前記２本のハロゲンランプ２０６、２０６の間隙の下方には、ミラー保持部材４２と固定バネ４４とで保持された長尺状の第１ミラーＭ１がハロゲンランプ２０６と平行に配置されている。固定バネ４４はネジ４８ａでケーシング１０に取り付けられており、なお、取り付け時にネジの回転トルクで固定バネ４４が回転しないように、回転止め５０ａを設けている。ミラーＭ１は固定バネ４４の付勢力によって、保持部材４２の傾斜部４２ｂにその背面を押し当てられ、所定の角度に保持されている。
　【００１４】
　第２のミラーＭ２は、ケーシング１０の中央付近で、ミラー保持部材５２と固定バネ５４とで所定角度に保持され、ネジ４８ｂ、回転止め５０ｂによってケーシング１０に取り付けられている。
　第３のミラーＭ３は、図１のケーシング１０右端の垂直面付近で、ミラーの前面（反射鏡面）が、ミラー保持部材６２の傾斜部６２ｂに付き当てられ、背面から固定バネ６４で押さえつけられて固定されている。
　【００１５】
　固定バネ６４はその上部６４ｂをミラー保持部材６２と本体カバー１０２とで挟まれて固定されているので、ネジ及び回転止めが不要である。
　レンズユニット３０はレンズブラケット３０２、レンズ３０４、ＣＣＤラインセンサ３０６、レンズカバー３０８とで構成されており、更に、本発明の特徴であるブロッカー３１８がレンズカバー３０８の一体物として形成されている。このブロッカー３１８は図４に示したように凸円弧状に形成されており、レンズカバー３０８の先端部において垂直下方向に折り曲げられるように設けられており、レンズ３０４に入射する手前で横長帯び状の光束の上方部分でかつ中心線付近の光の進路を遮る役目を果たしている。
　【００１６】
　具体的には、ブロッカー３１８とレンズカバー３０８とはプラスチックで一体成形され、特にブロッカー３１８部分について光の透過を阻止する処理が施されている。
　レンズブラケット３０２は該レンズユニット３０の底面部分に配され、レンズ３０４がレンズブラケット３０２の上に保持されていると共に、ＣＣＤラインセンサ３０６がレンズ３０４の後方のブラケット垂直面３０２ｂに固定されている。尚、ＣＣＤラインセンサ３０６は図示しないレーザプリンタと接続されており、読み取った画像の内容がプリントされる。
　【００１７】
　レンズカバー３０８はレンズ３０４の上側を覆ってブラケット３０２の上面に取り付けられると共に、図１においてレンズカバー３０８の右側部分（レンズブロッカー３１８を形成した先端部分からレンズ３０４の入射側の手前付近を覆う部分）は遮光カバー１０２の下に重なって組み込まれている。
　更に、上記レンズユニット３０は一体として、光軸に沿って前後に移動調整可能にケーシング１０に取り付けられる。
　【００１８】
　次に、上記構成の画像の読み取り用ユニットの作用について説明する。先ず、読み取るべき原稿７０を読み取り面を下にして原稿台７２にセットする。原稿７０はローラ７４の回転によって矢印Ａの方向に送られ、プラテンガラス２０８上に載せられる。プラテンガラス２０８上の原稿７０は、ハロゲンランプ２０６からの光を照射されつつ、図示しない原稿送り手段によって、更に矢印Ａ方向に送られることにより、原稿面全体にわたって走査されるようになっている。
　【００１９】
　原稿７０に照射された光は、原稿面で反射され、光源部２０の下方の遮光カバー１０２に形成された、スリット１０４を通過し、スリットの鉛直下方に備えた長尺状の前記第１ミラーＭ１に到る。前記スリット１０４は前記反射光の一部を通過させ、残りの光を遮るものであり、スリットを通過した光はハロゲンランプ２０６の長尺方向と同方向に長い帯び状の光束となる。
　【００２０】
　第１ミラーＭ１は４５度の角度をもってケーシング１０の底面に取り付けられており、光束はミラーＭ１で反射され水平方向に光路が折り曲げられる。更に該光束は、９０度から僅かに傾斜して配置された第２ミラーＭ２で反射され、図１右側の第３ミラーＭ３に照射され、更にミラーＭ３で水平方向に光路を折り曲げられる。図３（Ａ）及び（Ｂ）は反射光の光束４００、レンズブロッカー３１８、レンズ３０４、ＣＣＤラインセンサ３０６の関係の概略を示しており、（Ａ）は平面図、（Ｂ）は側面図である。また、図４は図３の光軸上で光束の進行方向からレンズブロッカー３１８を見た時の概要図である。
　【００２１】
　説明の便宜上、図４でレンズ３０４の中心を通り光束の長手方向（水平横方向）をＸ軸、レンズ３０４の中心を通る垂直線をＹ軸と呼ぶことにする。なお、ＣＣＤラインセンサはレンズ３０４の背後でＸ軸に平行にその長手方向を一致させて配置されている。
　原稿からの反射光束４００は、図３（Ｂ）に示すように、レンズ３０４の手前に配置されたレンズブロッカー３１８（斜線部）によって光束の一部が遮られる。即ち、図４で長方形状の断面を有する光束４００はブロッカー３１８によって図の交錯線部分の光が遮られる。従って、レンズ３０４の中心部に入射する光量は減少されるが、レンズの周辺部に入射する光量は減少されない。
　【００２２】
　もともとレンズブロッカー３１８手前の光束４００は、光軸の中心付近には光量が多く、周辺部は光量が少ないという光量分布を有しているため、上記のように、中心付近の光量を減少させることにより、レンズ３０４に入射する光束の光量分布の均一化を図ることができる。これにより、ＣＣＤラインセンサ３０６の結像面に出射される光量分布を略均一にしている。
　【００２３】
　複写倍率は、原稿７０とレンズ３０４の距離および、レンズ３０４とＣＣＤラインセンサ３０６の距離とに依存するが、図１の実施例ではレンズ３０４とＣＣＤラインセンサ３０６とはレンズブラケット３０２上の決められた位置に不動に固定されており、両者の距離は一定であるので、所定の倍率を得るための調整は、これらを包含するレンズユニット３０を一体として、光軸に沿って前後に移動させることにより行われる。この時、レンズカバー３０８とレンズブロッカー３１８は一体に形成されているため、レンズブロッカー３１８とレンズ３０４の距離も一定に保たれる。従って、ＣＣＤラインセンサ３０６の結像面に出射される光量のバランスも崩れることはない。
　【００２４】
　本実施例では、レンズブロッカー３１８をレンズ３０４の入射光側に形成するようにしたが、これに限らず、レンズ３０４の出射側に形成することも考えられる。また、本実施例では、複写機の原稿読み取り用ユニットに適用した場合について説明したが、ＦＡＸの読み取り用ユニットにも適用できる。
　【００２５】
　【発明の効果】
　以上説明したように、本発明に係る画像の読み取り用ユニットによれば、レンズブロッカーをユニットケーシングと一体に成形して、レンズユニットを構成したので、光軸に沿ってレンズユニットを前後に動かしても、レンズとレンズブロッカーとの間の距離を不変に保つことができ、結像面に出射される光量のバランスを略均一に保つことができる。これにより倍率調整を容易に行うことができる。また、従来のブロッカーを本体カバーに取り付けていたものに比べて、低コスト化が可能となる。
【図面の簡単な説明】
　【図１】
　図１は本発明に係る画像の読み取り用ユニットの実施例の内部構造を示す概略断面図
　【図２】
　図２は図１の平面図
　【図３】
　図３（Ａ）及び（Ｂ）は、図１と図２に示した光学系の概略を説明するための図であり、（Ａ）は平面図、（Ｂ）は側面図
　【図４】
　図４は図３で光束の進行方向からレンズブロッカーを見た時の拡大図
　【符号の説明】
　１０…ケーシング
　２０…光源部
　３０…レンズユニット
　１０２…遮光カバー
　２０６…ハロゲンランプ
　３０２…レンズブラケット
　３０４…レンズ
　３０６…ＣＣＤラインセンサ
　３０８…レンズカバー
　３１８…レンズブロッカー
　Ｍ１、Ｍ２、Ｍ３…ミラー